(57)【要約】【課題】海洋の水温上昇による「磯焼け」をしないために、十分に日光を受けることができ、海草や海藻の生育に必要な海水温の管理が可能な海草養殖設備を提供する。【解決手段】海洋に浮かぶ船体であって、外部から送信される海洋表面の温度分布情報を利用し、海草や海藻の生育に適した海水温の海域での位置を保持し続け、船体上の水槽内に周囲の海水を取り込み、排出する機構を搭載し、水槽内の水温を適切に維持し、かつ水槽内の水深を調節する海草養殖設備とする。【選択図】図１
2019004733.tif 000002
【特許請求の範囲】
【請求項１】
海洋に浮かぶ船体であって、外部から送信される海洋表面の温度分布情報を利用し、海草や海藻の生育に適した海水温の海域での位置を保持し続け、船体上の水槽内に周囲の海水を取り込み、排出する機構を搭載し、水槽内の水温を適切に維持し、かつ水槽内の水深を調節する海草養殖設備。
【請求項２】
海洋に浮かぶ船体上に、セイルを立設し、セイルが風を受ける角度を操作することにより、船体がスイッチバックの要領で往復運動し洋上のほぼ同じ位置を保持し、そしてまたは、船体が移動する、１項に記載の海草養殖設備。
【請求項３】
海洋に浮かぶ船体上に、風力発電設備や太陽光発電設備、波力発電設備、揺動発電設備などのどれか、または全てを搭載し、発生させた電力を蓄電池に蓄え、蓄えた電力で電動機などを動かし推進力を得る1項に記載の海草養殖設備。
【発明の詳細な説明】
【技術分野】
【０００１】
本発明は、海洋環境の改善に重要な役割を果たす海草類および海藻類の養殖設備の構造に関するものである。
【背景技術】
【０００２】
人類の産業発展にともなう化石燃料の使用で、大気中の二酸化炭素濃度は増大している。海洋は大気中の二酸化炭素の一部を吸収し、調整の役割を果たしていた。海中には海草や植物性プランクトンが豊富に生息し、光合成により海中の二酸化炭素を消費している。
【０００３】
1900年以降から見られる近年の温暖化により海水温も上昇傾向にある。海洋の二酸化炭素吸収能力に限界があることと、また、海水の温暖化により海洋に吸収されていた二酸化炭素が従来と逆に大気に放出される懸念がある。海洋の二酸化炭素の消費を担ってきた海草は、従来の生息海域の海水温が上昇することで「磯焼け」と呼ばれる現象が発生し、海草の生育が減少してしまう。海草の生育には、日光を得るための適度な水深、二酸化炭素、適度な水温、養分が必要とされる。
【０００４】
海草の藻場造成を行うために、フロートで沈む深さを調整できる仕組みを有する人工藻場を設置し、浅い水深から水質を改善させ、徐々に深度を下げていく方法が提案されている(特許文献１)。
【０００５】
海洋浮体構造物の下面海域について、太陽光線が遮断されてしまうことによる環境悪化抑制を目的に、浮体構造物下面海域の海水を汲み上げ、海水中の植物プランクトンに光合成を行わせ、海水を海に戻す提案がされている(特許文献２)。
【０００６】
海洋水で栄養素に富んだ深部の水を活用し、かつ光合成をさせるために、海草養殖網のけん引機構が沈降または浮上できるシステムの提案がされている（特許文献３）。
【０００７】
海洋で使用する船体であってセイルを有するものにおいて、船体の両先端が舳先となる対称の形状とし、セイルを風向に対して角度を制御し、船体の姿勢を変えることなく電車のスイッチバックの要領で、進行方向を反転させる航行方法が提案されている(特許文献４)。
【先行技術文献】
【特許文献】
【０００８】
【特許文献１】特開2008-61509号
【特許文献２】特開2000-246236
【特許文献３】特許第5436452号
【特許文献４】特許第5807319号
【非特許文献】
【０００９】
【非特許文献１】海の森づくり  水産庁、社団法人日本水産資源保護協会  平成15年3月発行
【発明の概要】
【発明が解決しようとする課題】
【００１０】
適度な水深、適度な水温の管理が可能な海草養殖設備を提供する。
【課題を解決するための手段】
【００１１】
移動可能な船体上に水槽を設ける。水槽内には船体周囲の海水の取り込み、排出機構を設ける。本水槽内にて海草を養殖する。船体は外部から送信される海表面温度の情報から、海草の生育に適した水温の海域を選択し移動する。
【００１２】
船体を航行させる方法としては、環境負荷の少ない手段が望ましい。一例として特許文献４に示すような、セイルを有する船体で、セイルの風向に対する角度を制御することにより、姿勢を変えることなく往復航行ができる方法がある。または所望の海域へ風力で航行できる。海底までの水深が深くても影響されず、長距離の移動ができ、または一定の海域位置を保持することができる。姿勢を変えないため、他の船舶の様に回転時に船体のバランスが不安定になることがない。
【発明の効果】
【００１３】
海草は浅瀬で日光が届く範囲で生息している。海草の生育に必要な光は、水深30〜40m程度まで到達する。
【００１４】
船体上の水槽は水深が決まっているため、海草は安定して日光を受けることができる。また船体は外部から送信される海表面水温情報に基づき、海草の生育に適した海水温の海域に移動するため、「磯焼け」は発生しない。
【００１５】
海洋全域に海草の分布が占める割合は、0.2％程度。海草の物質生産は、全海洋の植物プランクトン量の1％程度。よく発達した海の森の年間純生産量は、１平方メートルあたり2〜kg乾量とされている(非特許文献１)。全海草の物質生産能力は、全海洋の植物プランクトンと比べておおよそ5倍となる。海草の生息面積を増やすことで海洋中の物質生産、すなわち海草の光合成を促進させることができる。
【図面の簡単な説明】
【００１６】
【図１】本発明の実施例の断面図を示す。
【図２】本発明の実施例の俯瞰図を示す。
【発明を実施するための形態】
【００１７】
図１に示すように、船体１１を海水面１３とする海洋１２上に浮かべる。船体１１は外部から送信される海表面水温分布情報に基づき、海草の生育に適した海水温の海域に移動する。船体11は船体周囲の海水を取り込み、排出する機構を有し、例えばポンプ１４で配管１５を介して海水を船体１１の上にある水槽に汲み上げて貯め水１６とする。貯め水１６は養殖する海草に適した水深に調整する。オーバーフローした水は排水１７される。
【実施例】
【００１８】
図１は本発明の実施の様子の断面図である。海洋１２の上に船体11が浮遊している。13は海面の位置を示す。海水はポンプ１４により配管１５を通って水槽内に貯め水１６として汲み上げられる。水槽内にて海草は養殖され、オーバーフローした水は配管１７と通って海へ戻る。海表面の水温は人工衛星からの調査で得られる。所望の海水域に船体を移動させ、周囲の海水を取り込むことで水槽内の水温を調整する。海草は適度な水深により十分に太陽光を受けられ、適度な水温の中で生育する。
【００１９】
図２は本発明の実施例の俯瞰図である。船体11の水槽に貯め水16がある。船体上には操作可能なセイル２１、風力発電設備２２が立設する。風２３が矢印の向きで吹くとき、船体は進行方向２４のどちらかに進行する。セイルを操作し反転させると船体は進行方向24のそれまでと反対方向に進行する。セイルの操作を繰り返すことで船体は洋上でスイッチバックの要領で海域のほぼ同じ位置を保持する。風車２２は風を受けて発電し、蓄電池に電力を蓄え、セイルを操作する動力を提供する。蓄えられた電力は直接スクリューを駆動させるなど推進力に利用するしてもよい。風力発電設備以外に、船体に太陽光発電設備、波力発電設備、揺動発電設備を搭載してもよい。発生させた電力は蓄電地に蓄える以外に水素、圧縮空気など別のエネルギー媒体に変換してもよい。
【００２０】
海草の生育に必要な窒素やリンなどの有機養分は、人の活動で発生する汚水、生活排水を適度に活用してもよい。
【産業上の利用可能性】
【００２１】
本発明は海草養殖産業に適用し、生育に適した環境を提供する。
【００２２】
本発明は海草の生育を補助することにより、光合成にて海洋中の二酸化炭素を消費させる環境産業に適用する。
【符号の説明】
【００２３】
１１  船体
１２  海水
１３  海面
１４  ポンプ
１５  配管
１６  貯め水
１７  排水
２１  セイル
２２  風力発電設備
２３  風
２４  船体の進行方向
【図１】
2019004733.tif 000003
【図２】
2019004733.tif 000004